(57)【要約】【課題】映像装置における画像や音声などについてユーザの嗜好に合致した調整を行う。【解決手段】評価入力受付部２１０は、現在表示されている画像の画質に関するユーザからの評価入力を受け付ける。評価時間計時部２２０は、画像を表示してからユーザによって評価入力がされるまでに要する時間を計測する。パラメータ更新部２８０は、評価入力受付部２１０によって受け付けられた評価入力に従って、線形または非線形に基準パラメータ保持部２５０に保持される基準パラメータおよび提案パラメータ保持部２６０に保持される提案パラメータの更新を繰り返す。評価画質提示部２９０は、パラメータ更新部２８０によって更新された基準パラメータおよび提案パラメータの各値に基づいて、信号線２０１を介して供給された画像信号を変換して信号線２０９に出力する。【選択図】図２
2008227665.tif 000002
【特許請求の範囲】
【請求項１】
信号変換のための複数のパラメータについて基準となるパラメータの値および新たに提案されるパラメータの値に応じて入力信号をそれぞれ対応する出力信号に変換する変換手段と、
前記基準となるパラメータの値に対応する出力信号と前記新たに提案されるパラメータの値に対応する出力信号の何れかを選択する評価入力を受け付ける評価入力受付手段と、
前記評価入力が前記新たに提案されるパラメータの値に対応する出力信号の選択を示す場合には前記新たに提案されるパラメータの値を線形に変化させ、前記評価入力が前記基準となるパラメータの値に対応する出力信号の選択を示す場合には前記基準となるパラメータの値および前記新たに提案されるパラメータの値を非線形に変化させるパラメータ更新手段と
を具備することを特徴とする信号変換装置。
【請求項２】
前記評価入力を受け付ける際の時間を計測する計時手段をさらに具備し、
前記パラメータ更新手段は、前記評価入力が前記新たに提案されるパラメータの値に対応する出力信号の選択を示す場合には前記計時手段によって計測された時間に応じて前記基準となるパラメータの値を線形に変化させることを特徴とする請求項１記載の信号変換装置。
【請求項３】
前記パラメータ更新手段は、前記計時手段によって計測された時間が短いほど前記基準となるパラメータの値を大きく変化させることを特徴とする請求項２記載の信号変換装置。
【請求項４】
前記パラメータ更新手段は、前記新たに提案されるパラメータの値を非線形に変化させた後に前記複数のパラメータの少なくとも何れか１つを対象としてそのパラメータの値を線形に変化させることを特徴とする請求項１記載の信号変換装置。
【請求項５】
前記信号変換のための複数のパラメータは、画像信号のコントラスト、シャープネスまたはブライトネスの少なくとも何れか一つを含むことを特徴とする請求項１記載の信号変換装置。
【請求項６】
信号変換のための複数のパラメータについて基準となるパラメータの値および新たに提案されるパラメータの値に応じて入力信号をそれぞれ対応する出力信号に変換する信号変換装置において、
前記基準となるパラメータの値に対応する出力信号と前記新たに提案されるパラメータの値に対応する出力信号の何れかを選択する評価入力を受け付ける評価入力受付手順と、
前記評価入力が前記新たに提案されるパラメータの値に対応する出力信号の選択を示す場合には前記新たに提案されるパラメータの値を線形に変化させ、前記評価入力が前記基準となるパラメータの値に対応する出力信号の選択を示す場合には前記基準となるパラメータの値および前記新たに提案されるパラメータの値を非線形に変化させるパラメータ更新手順と
を具備することを特徴とする信号変換方法。
【請求項７】
信号変換のための複数のパラメータについて基準となるパラメータの値および新たに提案されるパラメータの値に応じて入力信号をそれぞれ対応する出力信号に変換する信号変換装置において、
前記基準となるパラメータの値に対応する出力信号と前記新たに提案されるパラメータの値に対応する出力信号の何れかを選択する評価入力を受け付ける評価入力受付手順と、
前記評価入力が前記新たに提案されるパラメータの値に対応する出力信号の選択を示す場合には前記新たに提案されるパラメータの値を線形に変化させ、前記評価入力が前記基準となるパラメータの値に対応する出力信号の選択を示す場合には前記基準となるパラメータの値および前記新たに提案されるパラメータの値を非線形に変化させるパラメータ更新手順と
をコンピュータに実行させることを特徴とするプログラム。
【発明の詳細な説明】
【技術分野】
【０００１】
本発明は、信号変換装置に関し、特にユーザの嗜好に合わせた変換処理を行う信号変換装置、および、その処理方法ならびに当該方法をコンピュータに実行させるプログラムに関する。
【背景技術】
【０００２】
従来、テレビジョン受信装置やＤＶＤ（Digital Versatile Disk）再生装置などの映像装置では、当該装置において調整可能な項目がメニュー画面等によって提供され、これに従ってユーザが自分の調整したい項目について逐一調整するようになっている。例えば、各調整項目をメニュー表示する画像表示システムが提案されている（例えば、特許文献１参照。）。
【特許文献１】特開２００２−０５７９５９号公報（図１）
【発明の開示】
【発明が解決しようとする課題】
【０００３】
しかしながら、映像装置における調整項目は多岐に亘り、相互に影響を与える。例えば、ノイズリダクションの調整は、ノイズリダクションの値が高く設定されるほどノイズの低減効果が強まる一方で、細部の再現能力が劣って画像がぼけてしまうという副作用をもたらす。また、シャープネスの調整は、シャープネスの値が高く設定されるほど、細部の再現能力が向上する一方で、ノイズを強調してしまうという副作用をもたらす。このように、ノイズリダクションとシャープネスは、相反的な作用を有する特性を有し、これら二つの調整項目を同じ量で調整した場合は、お互いの副作用と効果が相殺し合うことになる。したがって、各調整項目を個別に調整した場合には、相次いで相殺点に嵌ってしまい、総合的にユーザの嗜好に合致した状態に安定させることは困難になる。このような調整項目間の影響は、調整項目数が増えると益々顕著になる。
【０００４】
一方、このような調整項目間の影響による操作の煩雑さを解消するために、予めプリセットモードを設けて、それらの中からユーザに選択させる方法も考えられる。しかしながら、その場合にはユーザの選択の余地は極端に限られることになり、ユーザの嗜好に合致させることは難しい。
【０００５】
本発明は、このような事情に鑑みてなされたものであり、映像装置における画像や音声などについてユーザの嗜好に合致した調整を行うことを目的とする。
【課題を解決するための手段】
【０００６】
本発明は、上記課題を解決するためになされたものであり、その第１の側面は、信号変換のための複数のパラメータについて基準となるパラメータの値および新たに提案されるパラメータの値に応じて入力信号をそれぞれ対応する出力信号に変換する変換手段と、上記基準となるパラメータの値に対応する出力信号と上記新たに提案されるパラメータの値に対応する出力信号の何れかを選択する評価入力を受け付ける評価入力受付手段と、上記評価入力が上記新たに提案されるパラメータの値に対応する出力信号の選択を示す場合には上記新たに提案されるパラメータの値を線形に変化させ、上記評価入力が上記基準となるパラメータの値に対応する出力信号の選択を示す場合には上記基準となるパラメータの値および上記新たに提案されるパラメータの値を非線形に変化させるパラメータ更新手段とを具備することを特徴とする信号変換装置である。これにより、評価入力に応じてパラメータを線形または非線形に変化させて、評価入力に合致するように信号を変換させるという作用をもたらす。
【０００７】
また、この第１の側面において、上記評価入力を受け付ける際の時間を計測する計時手段をさらに具備し、上記パラメータ更新手段は、上記評価入力が上記新たに提案されるパラメータの値に対応する出力信号の選択を示す場合には上記計時手段によって計測された時間に応じて上記基準となるパラメータの値を線形に変化させるようにしてもよい。これにより、評価入力に要した時間に応じて基準となるパラメータの値を変化させるという作用をもたらす。この場合、上記パラメータ更新手段は、上記計時手段によって計測された時間が短いほど上記基準となるパラメータの値を大きく変化させることが望ましい。評価入力に要した時間が長い場合にはユーザが評価に迷っていることが推測されるからである。
【０００８】
また、この第１の側面において、上記パラメータ更新手段は、上記新たに提案されるパラメータの値を非線形に変化させた後に上記複数のパラメータの少なくとも何れか１つを対象としてそのパラメータの値を線形に変化させるようにしてもよい。これにより、否定評価に影響を与えた可能性のあるパラメータの組合せの更新を一時停止して、それ以外のパラメータを確定させるという作用をもたらす。
【０００９】
なお、この第１の側面において、上記信号変換のための複数のパラメータは、画像信号のコントラスト、シャープネスまたはブライトネスの少なくとも何れか一つを含むことが想定される。
【００１０】
また、本発明の第２の側面は、信号変換のための複数のパラメータについて基準となるパラメータの値および新たに提案されるパラメータの値に応じて入力信号をそれぞれ対応する出力信号に変換する信号変換装置において、上記基準となるパラメータの値に対応する出力信号と上記新たに提案されるパラメータの値に対応する出力信号の何れかを選択する評価入力を受け付ける評価入力受付手順と、上記評価入力が上記新たに提案されるパラメータの値に対応する出力信号の選択を示す場合には上記新たに提案されるパラメータの値を線形に変化させ、上記評価入力が上記基準となるパラメータの値に対応する出力信号の選択を示す場合には上記基準となるパラメータの値および上記新たに提案されるパラメータの値を非線形に変化させるパラメータ更新手順とを具備することを特徴とする信号変換方法またはこれら手順をコンピュータに実行させることを特徴とするプログラムである。これにより、評価入力に応じてパラメータを線形または非線形に変化させて、評価入力に合致するように信号を変換させるという作用をもたらす。
【発明の効果】
【００１１】
本発明によれば、映像装置において、ユーザによる評価に基づいて線形または非線形にパラメータの調整を繰り返すことによって、ユーザの嗜好に合致した状態に安定させることができるという優れた効果を奏し得る。
【発明を実施するための最良の形態】
【００１２】
次に本発明の実施の形態について図面を参照して詳細に説明する。
【００１３】
図１は、本発明の実施の形態における映像装置の一具体例の放送受信装置３００の構成例を示す図である。この放送受信装置３００は、プロセッサ３１０と、メモリ３２０と、フラッシュメモリ３３０と、チューナ３４０と、復調部３５０と、デマルチプレクサ３６０と、音声復号部３６７と、画像復号部３６８と、デジタル−アナログ（Ｄ／Ａ）変換部３７０と、音声出力部３７７と、画像出力部３７８と、インターフェース３９０とを備える。これらはバス３８０により接続される。また、チューナ３４０には外部機器としてアンテナ３０９が接続される。
【００１４】
プロセッサ３１０は、放送受信装置３００全体の動作を制御するものである。メモリ３２０は、プロセッサ３１０の主記憶に該当し、プロセッサ３１０上で動作するプログラム等が記憶されるものである。フラッシュメモリ３３０は、不揮発性の記録媒体であり、放送受信装置３００の電源を切った後で再び必要とされる情報を保持するために使用される。従って、放送受信装置３００の電源が入ると、このフラッシュメモリ３３０の内容がメモリ３２０に転送されるようになっている。
【００１５】
チューナ３４０は、アンテナ３０９から供給された放送信号からプロセッサ３１０の制御によって所定チャンネルの信号を検波して復調部３５０に供給するものである。放送信号は、地上波でもよく、放送衛星（ＢＳ）放送や通信衛星（ＣＳ）放送による衛星信号でもよい。復調部３５０は、プロセッサ３１０の制御によりチューナ３４０からの放送信号を復調してデータを取り出してデマルチプレクサ３６０に供給するものである。デジタル放送の場合は、例えば位相変調（ＰＳＫ）等によりデジタル変調されており、復調部３５０はこのデジタル変調された信号からデータを取り出す。
【００１６】
デマルチプレクサ３６０は、復調部３５０からのデータを音声データと画像データとに分離して、音声復号部３６７および画像復号部３６８にそれぞれ供給するものである。デマルチプレクサ３６０は、デジタル放送の場合には例えばデジタルデータのトランスポートデコーダとして機能し、ＭＰＥＧ（Moving Picture Experts Group）−２のトランスポートストリームを音声データとしての音声ストリームと映像データとしての映像ストリームとに分離する。また、この場合、デマルチプレクサ３６０は、トランスポートストリーム中の番組仕様情報（ＰＳＩ）や番組配列情報（ＳＩ）を分離する。
【００１７】
音声復号部３６７および画像復号部３６８は、デマルチプレクサ３６０から供給された音声データおよび画像データをそれぞれ復号して、Ｄ／Ａ変換部３７０に供給するものである。例えば、ＭＰＥＧ符号化された音声ストリームおよび画像ストリームをＭＰＥＧ復号して、音声信号および画像信号とする。
【００１８】
Ｄ／Ａ変換部３７０は、音声復号部３６７および画像復号部３６８から供給されたデジタル信号をアナログ信号に変換して音声出力部３７７および画像出力部３７８に供給するものである。画像出力部３７８から出力された画像信号は（図示しない）ディスプレイに供給される。音声出力部３７７から出力された音声信号は（図示しない）スピーカに供給される。
【００１９】
インターフェース３９０は、外部からの操作入力を放送受信装置３００内部のバス３８０に接続するものである。このインターフェース３９０としては、例えば、リモートコントローラの受信器を備えることができる。
【００２０】
図２は、本発明の実施の形態における画像変換機能の一構成例を示す図である。本発明の実施の形態では、信号変換処理のパラメータの例として、画像表示のためのパラメータを想定する。ここでは、画像変換処理に必要なデータを保持するものとして、評価履歴保持部２３０と、嗜好パラメータ保持部２４０と、基準パラメータ保持部２５０と、提案パラメータ保持部２６０とを備えるものとしている。また、画像変換処理を実現する機能として、評価入力受付部２１０と、評価時間計時部２２０と、パラメータ更新部２８０と、評価画質提示部２９０とを備えるものとしている。
【００２１】
評価入力受付部２１０は、現在表示されている画像の画質に関するユーザからの評価入力を受け付けるものである。現在表示されている画像は、後述する基準パラメータおよび提案パラメータに基づいて表示されているものである。ユーザは、その両パラメータに基づく画像について、何れの画像の画質が好みであるかを入力する。この評価入力は、信号線２０２を介して評価入力受付部２１０によって受け付けられる。
【００２２】
評価時間計時部２２０は、画像を表示してからユーザによって評価入力がされるまでに要する時間を計測するタイマーである。この評価時間計時部２２０によって計測された時間は評価入力の度にパラメータ更新部２８０に供給される。
【００２３】
評価履歴保持部２３０は、評価入力受付部２１０によって受け付けられた評価入力とその際のパラメータの値の履歴を保持するものである。
【００２４】
嗜好パラメータ保持部２４０は、ユーザによる評価入力を繰り返す際に、その時点で最もユーザの嗜好と合致すると判断されたパラメータの値を保持するものである。
【００２５】
基準パラメータ保持部２５０は、ユーザによる評価入力の基準となる画像のパラメータを基準パラメータとして保持するものである。提案パラメータ保持部２６０は、基準パラメータによる画像に対して新たに提案された画像のパラメータを提案パラメータとして保持するものである。すなわち、ユーザは、基準パラメータの値に対応する画像信号か、提案パラメータの値に対応する画像信号の何れか一方を、より嗜好に合致するものとして選択する。これが評価入力となる。
【００２６】
パラメータ更新部２８０は、評価入力受付部２１０によって受け付けられた評価入力に従って、基準パラメータ保持部２５０に保持される基準パラメータおよび提案パラメータ保持部２６０に保持される提案パラメータを更新するものである。この更新の詳細な手順については後述する。
【００２７】
評価画質提示部２９０は、パラメータ更新部２８０によって更新された基準パラメータおよび提案パラメータの各値に基づいて、信号線２０１を介して供給された画像信号を変換して信号線２０９に出力するものである。これにより、基準パラメータおよび提案パラメータに沿った画質の画像がユーザに提示される。
【００２８】
図３は、本発明の実施の形態における評価入力の様子を示す図である。放送受信装置３００の画面上には、一例として、向かって左側に基準パラメータによる画像３０１と、向かって右側に提案パラメータによる画像３０２が表示されている。ユーザは、提案パラメータによる画像３０２が基準パラメータによる画像３０１よりも嗜好に合致するものか否かを評価して、リモートコントローラ４００によって評価入力を行う。
【００２９】
リモートコントローラ４００は、嗜好の評価入力が可能なものであればどのようなものでもよいが、例えば、基準パラメータによる画像３０１を選択する否定入力ボタン４０１および提案パラメータによる画像３０２を選択する肯定入力ボタン４０２を備えることによって、評価入力を容易にすることができる。
【００３０】
図４は、本発明の実施の形態におけるパラメータ更新部２８０の処理手順例を示す図である。ここでは、パラメータの集合Ｐについてその値を適宜変化させながらユーザの嗜好する設定を探索する。
【００３１】
まず、パラメータの集合Ｐについて、基準パラメータの値および提案パラメータの値の初期値がそれぞれ基準パラメータ保持部２５０および提案パラメータ保持部２６０に設定される（ステップＳ９１１）。ここでは、パラメータの集合Ｐとして３つのパラメータＡ、ＢおよびＣを想定し、それぞれの基準パラメータをＶ＿ｌｅｆｔ（Ａ）、Ｖ＿ｌｅｆｔ（Ｂ）およびＶ＿ｌｅｆｔ（Ｃ）とする。また、それぞれの提案パラメータをＶ＿ｒｉｇｈｔ（Ａ）、Ｖ＿ｒｉｇｈｔ（Ｂ）およびＶ＿ｒｉｇｈｔ（Ｃ）とする。
【００３２】
そして、それらの値に基づいて評価画質提示部２９０によって図３のようにそれぞれの画質が提示される（ステップＳ９１２）。このようにして提示された画質に対する評価入力が、評価入力受付部２１０によって受け付けられる（ステップＳ９１３）。
【００３３】
ステップＳ９１３において受け付けられた評価入力が肯定評価、すなわち基準パラメータによる画質よりも提案パラメータによる画質の方が嗜好に合致しているという評価がされた場合（ステップＳ９１４）、以下に示すようにパラメータの線形更新が行われる。但し、パラメータの値が既にパラメータ設定範囲の端に到達している場合には（ステップＳ９１５）、その時点でパラメータは確定する（ステップＳ９１９）。
【００３４】
嗜好パラメータ保持部２４０にはその時点で最もユーザの嗜好と合致すると判断された嗜好パラメータの値が保持されており、ここでは、３つのパラメータＡ、ＢおよびＣの嗜好パラメータをＶ＿ｂｅｓｔ（Ａ）、Ｖ＿ｂｅｓｔ（Ｂ）およびＶ＿ｂｅｓｔ（Ｃ）とする。また、肯定評価を受けた評価対象をＶ＿ｙｅｓ（Ａ）、Ｖ＿ｙｅｓ（Ｂ）およびＶ＿ｙｅｓ（Ｃ）とする。ここでは、Ｖ＿ｙｅｓ（Ａ）＝Ｖ＿ｒｉｇｈｔ（Ａ）、Ｖ＿ｙｅｓ（Ｂ）＝Ｖ＿ｒｉｇｈｔ（Ｂ）、Ｖ＿ｙｅｓ（Ｃ）＝Ｖ＿ｒｉｇｈｔ（Ｃ）である。肯定評価の際には嗜好パラメータの値は次式により更新される（ステップＳ９１６、式１）。
Ｖ＿ｂｅｓｔ（Ａ）＝（Ｖ＿ｂｅｓｔ（Ａ）＋時間評価関数（Ｔ）×Ｖ＿ｙｅｓ（Ａ））／（１＋時間評価関数（Ｔ））
Ｖ＿ｂｅｓｔ（Ｂ）＝（Ｖ＿ｂｅｓｔ（Ｂ）＋時間評価関数（Ｔ）×Ｖ＿ｙｅｓ（Ｂ））／（１＋時間評価関数（Ｔ））
Ｖ＿ｂｅｓｔ（Ｃ）＝（Ｖ＿ｂｅｓｔ（Ｃ）＋時間評価関数（Ｔ）×Ｖ＿ｙｅｓ（Ｃ））／（１＋時間評価関数（Ｔ））
【００３５】
ここで、時間評価関数（Ｔ）は、ユーザが評価に要した時間Ｔに反比例する値を出力する関数である。これにより、評価に要した時間Ｔが長いほど時間評価関数（Ｔ）の出力の値は小さくなり、肯定評価を受けた評価対象であるＶ＿ｙｅｓ（Ａ）、Ｖ＿ｙｅｓ（Ｂ）およびＶ＿ｙｅｓ（Ｃ）による影響が小さくなる。一方、評価に要した時間Ｔが短いほど時間評価関数（Ｔ）の出力の値は大きくなり、肯定評価を受けた評価対象であるＶ＿ｙｅｓ（Ａ）、Ｖ＿ｙｅｓ（Ｂ）およびＶ＿ｙｅｓ（Ｃ）による影響が大きくなる。これは、評価に時間を要した場合にはユーザに迷いがあることが推測されるため、その際の評価入力による影響をなるべく排除することを目的とするものである。
【００３６】
この時間評価関数（Ｔ）の例を図５に示す。第１の例７０１では、評価入力までの時間が０秒に近ければ「１００」に近い値を示し、１０秒を経過すると「０」を示すようになる。この例７０１によると、評価時間に強く依存した更新を行うことになる。第２の例７０２では、評価入力までの時間が０秒に近ければ「７５」に近い値を示し、１０秒を経過すると「２５」を示すようになる。この例７０２によると、評価時間への依存度を緩くした更新を行うことになる。
【００３７】
このようにして更新された嗜好パラメータの値は、基準パラメータとして採用される。すなわち、基準パラメータは次式により更新される（ステップＳ９１７、式２）。
Ｖ＿ｌｅｆｔ（Ａ）＝Ｖ＿ｂｅｓｔ（Ａ）
Ｖ＿ｌｅｆｔ（Ｂ）＝Ｖ＿ｂｅｓｔ（Ｂ）
Ｖ＿ｌｅｆｔ（Ｃ）＝Ｖ＿ｂｅｓｔ（Ｃ）
【００３８】
また、提案パラメータは、次式のように線形的に変更（単純増加もしくは単純減少）される（ステップＳ９１８、式３）。但し、ＩＮＣ（Ａ）、ＩＮＣ（Ｂ）およびＩＮＣ（Ｃ）は各パラメータの変化分を示す。
Ｖ＿ｒｉｇｈｔ（Ａ）＝Ｖ＿ｒｉｇｈｔ（Ａ）＋ＩＮＣ（Ａ）
Ｖ＿ｒｉｇｈｔ（Ｂ）＝Ｖ＿ｒｉｇｈｔ（Ｂ）＋ＩＮＣ（Ｂ）
Ｖ＿ｒｉｇｈｔ（Ｃ）＝Ｖ＿ｒｉｇｈｔ（Ｃ）＋ＩＮＣ（Ｃ）
【００３９】
このような線形更新は、評価入力として肯定評価（ステップＳ９１４）が続く限り、繰り返される。
【００４０】
一方、ステップＳ９１３において受け付けられた評価入力が否定評価、すなわち提案パラメータによる画質よりも基準パラメータによる画質の方が嗜好に合致しているという評価がされた場合（ステップＳ９１４）、以下に示すようにパラメータの非線形更新に移行する。
【００４１】
非線形更新においては、基準パラメータおよび提案パラメータが後述のように非線形に更新される（ステップＳ９２１）。そして、それらの更新された値に基づいて評価画質提示部２９０によって図３のようにそれぞれの画質が提示される（ステップＳ９２２）。このようにして提示された画質に対する評価入力が、評価入力受付部２１０によって受け付けられる（ステップＳ９２３）。
【００４２】
この非線形更新では、線形更新において否定評価されたパラメータと嗜好パラメータの組合せの相対比較を通じて、何れのパラメータの組合せが否定評価に影響を与えたのかが検証される。すなわち、３つのパラメータＡ、ＢおよびＣを想定した場合、（１）Ａのみ、（２）Ｂのみ、（３）Ｃのみ、（４）ＡおよびＢ、（５）ＡおよびＣ、（６）ＢおよびＣ、または、（７）Ａ、ＢおよびＣの７つの組合せのうち、何れの組合せが否定評価に影響を与えたのかが検証される。
【００４３】
ここで、３つのパラメータＡ、ＢおよびＣについて否定評価されたパラメータをＶ＿ｎｏ（Ａ）、Ｖ＿ｎｏ（Ｂ）およびＶ＿ｎｏ（Ｃ））とすると、基準パラメータは次式により更新される（式４）。
Ｖ＿ｌｅｆｔ（Ａ）＝Ｌｅｆｔ＿Ｗｅｉｇｈｔ（Ａ）×Ｖ＿ｂｅｓｔ（Ａ）＋（１−Ｌｅｆｔ＿Ｗｅｉｇｈｔ（Ａ））×Ｖ＿ｎｏ（Ａ）
Ｖ＿ｌｅｆｔ（Ｂ）＝Ｌｅｆｔ＿Ｗｅｉｇｈｔ（Ｂ）×Ｖ＿ｂｅｓｔ（Ｂ）＋（１−Ｌｅｆｔ＿Ｗｅｉｇｈｔ（Ｂ））×Ｖ＿ｎｏ（Ｂ）
Ｖ＿ｌｅｆｔ（Ｃ）＝Ｌｅｆｔ＿Ｗｅｉｇｈｔ（Ｃ）×Ｖ＿ｂｅｓｔ（Ｃ）＋（１−Ｌｅｆｔ＿Ｗｅｉｇｈｔ（Ｃ））×Ｖ＿ｎｏ（Ｃ）
【００４４】
また、提案パラメータは次式により更新される（式５）。
Ｖ＿ｒｉｇｈｔ（Ａ）＝Ｒｉｇｈｔ＿Ｗｅｉｇｈｔ（Ａ）×Ｖ＿ｂｅｓｔ（Ａ）＋（１−Ｒｉｇｈｔ＿Ｗｅｉｇｈｔ（Ａ））×Ｖ＿ｎｏ（Ａ）
Ｖ＿ｒｉｇｈｔ（Ｂ）＝Ｒｉｇｈｔ＿Ｗｅｉｇｈｔ（Ｂ）×Ｖ＿ｂｅｓｔ（Ｂ）＋（１−Ｒｉｇｈｔ＿Ｗｅｉｇｈｔ（Ｂ））×Ｖ＿ｎｏ（Ｂ）
Ｖ＿ｒｉｇｈｔ（Ｃ）＝Ｒｉｇｈｔ＿Ｗｅｉｇｈｔ（Ｃ）×Ｖ＿ｂｅｓｔ（Ｃ）＋（１−Ｒｉｇｈｔ＿Ｗｅｉｇｈｔ（Ｃ））×Ｖ＿ｎｏ（Ｃ）
【００４５】
但し、Ｌｅｆｔ＿Ｗｅｉｇｈｔ（Ａ〜Ｃ）およびＲｉｇｈｔ＿Ｗｅｉｇｈｔ（Ａ〜Ｃ）は、非線形更新の段階に応じて設定される重みである。
【００４６】
非線形更新による評価入力の結果、否定評価に影響を与えた可能性のあるパラメータの組合せが明らかになった場合、もしくは、そのような組合せを特定できないことが明らかになった場合、非線形更新を終了する（ステップＳ９２３）。これらに該当しない場合には、ステップＳ９２１以降の手順を繰り返す。
【００４７】
非線形更新による評価入力の結果、否定評価に影響を与えた可能性のあるパラメータの組合せが明らかになった場合には（ステップＳ９２５）、そのようなパラメータの組合せ（集合ｉ）の更新を一時停止して、パラメータの集合Ｐのうち残るパラメータの集合（Ｐ−ｉ）のみを更新することにより評価を継続する（ステップＳ９２８）。
【００４８】
一方、非線形更新による評価入力の結果、否定評価に影響を与えた可能性のあるパラメータの組合せを特定できないことが明らかになった場合には（ステップＳ９２５）、パラメータの範囲を狭く調整することが可能であるか判断される（ステップＳ９２６）。その結果、パラメータの範囲を狭く調整することが可能であれば、その範囲を狭くした上で（ステップＳ９２７）、ステップＳ９２１以降の手順を繰り返す。それ以上パラメータの範囲を狭く調整することが不可能であれば、その時点でパラメータは確定する（ステップＳ９１９）。
【００４９】
図６は、本発明の実施の形態における非線形更新の状態遷移例を示す図である。この図において、１９個の四角形はそれぞれ状態を表す。各々の四角形には＃１から＃１９までの番号が付されており、非線形更新の開始時には＃１の状態になる。
【００５０】
各状態は基準パラメータおよび提案パラメータの組合せを示しており、ユーザによる評価入力に従って、他の状態に遷移していく。そして、線形更新において否定評価に影響を与えた可能性のあるパラメータの組合せが明らかになった場合には、その組合せを一時停止のパラメータとして示す。一方、そのような組合せを特定できないことが明らかになった場合には、一時停止のパラメータがない旨を示す。
【００５１】
各状態を示す四角形において、左側の３つの数字は左側の重みＬｅｆｔ＿Ｗｅｉｇｈｔ（Ａ〜Ｃ）を示し、右側の３つの数字は右側の重みＲｉｇｈｔ＿Ｗｅｉｇｈｔ（Ａ〜Ｃ）を示す。例えば、状態＃１の場合、Ｌｅｆｔ＿Ｗｅｉｇｈｔ（Ａ）＝１、Ｌｅｆｔ＿Ｗｅｉｇｈｔ（Ｂ）＝０、Ｌｅｆｔ＿Ｗｅｉｇｈｔ（Ｃ）＝０、Ｒｉｇｈｔ＿Ｗｅｉｇｈｔ（Ａ）＝０、Ｒｉｇｈｔ＿Ｗｅｉｇｈｔ（Ｂ）＝１、Ｒｉｇｈｔ＿Ｗｅｉｇｈｔ（Ｃ）＝０であることを示している。
【００５２】
ユーザによる評価入力の結果、基準パラメータによる画質が嗜好に合致するものとして選択された場合には「左」に沿って状態遷移し、提案パラメータによる画質が嗜好に合致するものとして選択された場合には「右」に沿って状態遷移する。例えば、状態＃１において、基準パラメータによる画質が嗜好に合致するものとして選択された場合には状態＃２に遷移し、提案パラメータによる画質が嗜好に合致するものとして選択された場合には状態＃１１に遷移する。
【００５３】
以下では、本発明の実施の形態における動作を具体例により説明する。
【００５４】
図７は、本発明の実施の形態におけるパラメータの範囲の一例を示す図である。ここでは、画像表示のためのパラメータとして、コントラスト（パラメータＡ）、シャープネス（パラメータＢ）およびブライトネス（パラメータＣ）の３つを例に挙げて説明する。コントラストは、画像における黒い画素と白い画素の画素値の幅を設定するパラメータである。シャープネスは、画像におけるエッジの強調度合いを設定するパラメータである。ブライトネスは、画像の明るさの度合いを設定するパラメータである。
【００５５】
この例では、コントラストの設定段階がＡ０からＡ４の５段階、シャープネスの設定段階がＢ０からＢ５の６段階、ブライトネスの設定段階がＣ０からＣ４の５段階としている。したがって、全ての組合せの数は５×６×５＝１５０通りとなる。これら全ての組合せについてユーザに評価入力させることは現実的ではない。本発明の実施の形態では、パラメータの線形更新および非線形更新を組み合わせることにより、パラメータの全ての組合せを試すことなく、ユーザの嗜好に合致した設定を探索することができる。
【００５６】
ここでは、コントラストの設定段階Ａ３、シャープネスの設定段階Ｂ４、ブライトネスの設定段階Ｃ３の組合せが、最終的なユーザの嗜好であるものと仮定して、ユーザに評価入力させた場合の例について説明する。また、ユーザの嗜好として、シャープネスよりもブライトネスを重視し、ブライトネスよりもコントラストを重視しているものと仮定する。もちろん、これらのユーザの嗜好の設定や比重は予め不明なものとして評価入力を受け付ける。
【００５７】
図８は、本発明の実施の形態におけるパラメータの遷移例の第１段階を示す図である。まず、初期状態として、基準パラメータＶ＿ｌｅｆｔ（Ａ〜Ｃ）として「Ａ０／Ｂ０／Ｃ０」の組合せが設定され、提案パラメータＶ＿ｒｉｇｈｔ（Ａ〜Ｃ）として「Ａ１／Ｂ１／Ｃ１」の組合せが設定されるものとする。その結果、肯定評価が入力され、線形更新が継続される。
【００５８】
線形更新により嗜好パラメータＶ＿ｂｅｓｔ（Ａ〜Ｃ）が更新されるが、ここでは嗜好パラメータには「Ａ０／Ｂ０／Ｃ０」の組合せが設定されるものとする。これにより、基準パラメータには再び「Ａ０／Ｂ０／Ｃ０」の組合せが設定される。また、提案パラメータは１段階（ＩＮＣ（Ａ〜Ｃ））増加して、「Ａ２／Ｂ２／Ｃ２」の組合せが設定されるものとする。その結果、肯定評価が入力され、線形更新が継続される。
【００５９】
次に、嗜好パラメータには「Ａ１／Ｂ１／Ｃ１」の組合せが設定され、これにより、基準パラメータにも「Ａ１／Ｂ１／Ｃ１」の組合せが設定される。また、提案パラメータは１段階増加して、「Ａ３／Ｂ３／Ｃ３」の組合せが設定されるものとする。その結果、肯定評価が入力され、線形更新が継続される。
【００６０】
次に、嗜好パラメータには「Ａ１／Ｂ１／Ｃ１」の組合せが設定され、これにより、基準パラメータにも「Ａ２／Ｂ２／Ｃ２」の組合せが設定される。また、提案パラメータは１段階増加して、「Ａ４／Ｂ４／Ｃ４」の組合せが設定されるものとする。その結果、パラメータＡがＡ３を超え、パラメータＣがＣ３を超えることから、否定評価が入力される。これにより、非線形更新に移行する。
【００６１】
図９は、本発明の実施の形態におけるパラメータの遷移例の第２段階を示す図である。非線形更新における最初の状態は、図６により説明した状態＃１になる。すなわち、左側の重み（Ｌｅｆｔ＿Ｗｅｉｇｈｔ（Ａ〜Ｃ））は「１／０／０」であり、右側の重み（Ｒｉｇｈｔ＿Ｗｅｉｇｈｔ（Ａ〜Ｃ））は「０／０／１」である。この非線形更新の段階では、嗜好パラメータ（Ｖ＿ｂｅｓｔ（Ａ〜Ｃ））が「Ａ２／Ｂ２／Ｃ２」、否定評価されたパラメータ（Ｖ＿ｎｏ（Ａ〜Ｃ））が「Ａ４／Ｂ４／Ｃ４」であることから、式４および５より、基準パラメータには「Ａ２／Ｂ４／Ｃ４」が設定され、提案パラメータには「Ａ４／Ｂ４／Ｃ２」が設定される。その結果、基準パラメータが選択されるため、図６の状態＃２に遷移する。
【００６２】
状態＃２では、左側の重みは「１／０／０」であり、右側の重みは「０／１／０」であることから、基準パラメータには「Ａ２／Ｂ４／Ｃ４」が設定され、提案パラメータには「Ａ４／Ｂ２／Ｃ４」が設定される。その結果、基準パラメータが選択されるため、図６の状態＃３に遷移する。
【００６３】
状態＃３では、左側の重みは「１／１／１」であり、右側の重みは「１／０／０」であることから、基準パラメータには「Ａ２／Ｂ２／Ｃ２」が設定され、提案パラメータには「Ａ２／Ｂ４／Ｃ４」が設定される。その結果、基準パラメータが選択されるため、図６の状態＃４に遷移する。
【００６４】
状態＃４では、左側の重みは「１／１／０」であり、右側の重みは「１／０／１」であることから、基準パラメータには「Ａ２／Ｂ２／Ｃ４」が設定され、提案パラメータには「Ａ２／Ｂ４／Ｃ２」が設定される。その結果、提案パラメータが選択されるため、図６の状態＃６に遷移する。
【００６５】
状態＃６では、左側の重みは「１／１／１」であり、右側の重みは「１／０／１」であることから、基準パラメータには「Ａ２／Ｂ２／Ｃ２」が設定され、提案パラメータには「Ａ２／Ｂ４／Ｃ２」が設定される。その結果、提案パラメータが選択されるため、図６により、線形更新において否定評価に影響を与えた可能性のあるパラメータはＡおよびＣの組合せであることが分かる。そのため、パラメータＡおよびＣの更新は一時停止され、パラメータＢのみの更新が続行する。
【００６６】
図１０は、本発明の実施の形態におけるパラメータの遷移例の第３段階を示す図である。パラメータＡおよびＣの更新が一時停止されたため、パラメータＢのみが線形更新の対象となり、基準パラメータには「Ａ２／Ｂ４／Ｃ２」が設定され、提案パラメータには「Ａ２／Ｂ５／Ｃ２」が設定される。その結果、パラメータＢがＢ４を超えることから、否定評価が入力される。これにより、非線形更新によってパラメータＢがＢ４に戻されて、ユーザの嗜好に合致するパラメータＢはＢ４であることが確定する。
【００６７】
その結果、パラメータＡおよびＣの更新が再開され、基準パラメータには「Ａ２／Ｂ４／Ｃ２」が設定され、提案パラメータには「Ａ３／Ｂ４／Ｃ３」が設定される。その結果、肯定入力がされる。更新履歴において、パラメータ「Ａ４／Ｂ４／Ｃ４」の組合せは既に否定されていることから、これによりパラメータ「Ａ３／Ｂ４／Ｃ３」がユーザの嗜好に合致するものとして確定する。
【００６８】
このように、本発明の実施の形態によれば、基準パラメータおよび提案パラメータの画質に対する評価入力に基づいて、パラメータ更新部２８０が線形または非線形に基準パラメータおよび提案パラメータを更新することによって、ユーザの嗜好に合致したパラメータの組合せを探索することができる。
【００６９】
なお、本発明の実施の形態では、基準パラメータによる画像を左側、提案パラメータによる画像を右側に固定して表示しているが、これらの位置は適宜変更してもよい。例えば、更新後の一方のパラメータが更新前の他方のパラメータと一致する場合には、表示位置を入れ換えて表示することにより、更新の前後で片方の画像に変化がないように表示させてもよい。これにより、左右両側の画像が同時に変化することにより生じる混乱を、ユーザに与えないようにすることができる。
【００７０】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００７１】
すなわち、請求項１において、変換手段は例えば評価画質提示部２９０に対応する。また、評価入力受付手段は例えば評価入力受付部２１０に対応する。また、パラメータ更新手段は例えばパラメータ更新部２８０に対応する。
【００７２】
また、請求項２において、計時手段は例えば評価時間計時部２２０に対応する。
【００７３】
また、請求項６および７において、評価入力受付手順は例えばステップＳ９１３またはＳ９２３に対応する。また、パラメータ更新手順は例えばステップＳ９１６乃至Ｓ９１８またはＳ９２１に対応する。
【００７４】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【００７５】
【図１】本発明の実施の形態における映像装置の一具体例の放送受信装置３００の構成例を示す図である。
【図２】本発明の実施の形態における画像変換機能の一構成例を示す図である。
【図３】本発明の実施の形態における評価入力の様子を示す図である。
【図４】本発明の実施の形態におけるパラメータ更新部２８０の処理手順例を示す図である。
【図５】本発明の実施の形態における時間評価関数の例を示す図である。
【図６】本発明の実施の形態における非線形更新の状態遷移例を示す図である。
【図７】本発明の実施の形態におけるパラメータの範囲の一例を示す図である。
【図８】本発明の実施の形態におけるパラメータの遷移例の第１段階を示す図である。
【図９】本発明の実施の形態におけるパラメータの遷移例の第２段階を示す図である。
【図１０】本発明の実施の形態におけるパラメータの遷移例の第３段階を示す図である。
【符号の説明】
【００７６】
２１０  評価入力受付部
２２０  評価時間計時部
２３０  評価履歴保持部
２４０  嗜好パラメータ保持部
２５０  基準パラメータ保持部
２６０  提案パラメータ保持部
２８０  パラメータ更新部
２９０  評価画質提示部
３００  放送受信装置
３０９  アンテナ
３１０  プロセッサ
３２０  メモリ
３３０  フラッシュメモリ
３４０  チューナ
３５０  復調部
３６０  デマルチプレクサ
３６７  音声復号部
３６８  画像復号部
３７０  Ｄ／Ａ変換部
３７７  音声出力部
３７８  画像出力部
３８０  バス
３９０  インターフェース
４００  リモートコントローラ
４０１  否定入力ボタン
４０２  肯定入力ボタン
【図１】
2008227665.tif 000003
【図２】
2008227665.tif 000004
【図３】
2008227665.tif 000005
【図４】
2008227665.tif 000006
【図５】
2008227665.tif 000007
【図６】
2008227665.tif 000008
【図７】
2008227665.tif 000009
【図８】
2008227665.tif 000010
【図９】
2008227665.tif 000011
【図１０】
2008227665.tif 000012